(57)【要約】【課題】  本発明は複写機や多機能印刷機に係り、特に記録条件と原稿画像を対応付けて保存し、同じ原稿を複写する際には保存した記録条件に基づいて複写を行う印刷条件設定装置を提供するものである。【解決手段】  本発明は複写画像ファイル保存部９に画像データを保存し、スキャナ４によって読み出された原稿画像をスキャン画像バッファ１０に記録し、画像照合判定部１５によって原稿画像と過去の画像との照合を行い、照合結果が一致する時、当該画像データに対応する記録条件を画像照合手段記録条件データ記録部１２から読み出し、更に描画条件データを描画条件データ記録部１３に読み出し、印刷条件データを印刷条件データ記録部１４に読み出し、自動的に各種印刷条件を設定することによって煩雑な設定処理を行うことなく、印刷条件の設定が可能な印刷条件設定装置を提供するものである。【選択図】  図１
2006174183.tif 000002
【特許請求の範囲】
【請求項１】
画像データと該画像データを記録する際の記録条件を対応して記憶する記憶手段と、
スキャナによって読み取られた原稿データと前記記憶手段に記憶された画像データとの照合を行う画像照合手段と、
該画像照合手段によって両画像データが一致すると判断する時、前記記憶手段から対応する記録条件の情報を読み出し、前記原稿データに対する記録処理の際の記録条件に設定する設定手段と、
を有することを特徴とする記録条件設定装置。
【請求項２】
前記記録条件には、前記画像データの描画条件と印刷条件とを含み、それぞれの条件に従って画像データの描画処理、及び記録紙への印刷処理を行うことを特徴とする請求項１記載の記録条件設定装置。
【請求項３】
前記原稿データには符号化パターンの情報が記録され、該符号化パターンには前記記録条件の情報が含まれていることを特徴とする請求項１、又は２記載の記録条件設定装置。
【請求項４】
前記記録条件に対応する符号化パターンを生成し、前記原稿データに前記符号化パターンが含まれていない場合、前記生成した符号化パターンを記録画像に記録することを特徴とする請求項１、２、又は３記載の記録条件設定装置。
【請求項５】
画像データと記録条件を対応して記憶する記憶手段と、
スキャナによって読み取られた原稿データと前記記憶手段に記憶された画像データとの照合を行う画像照合手段と、
該画像照合手段による両画像データが一致すると判断する時、前記記憶手段から対応する記録条件の情報を読み出し、前記原稿データに対する記録処理を前記記録条件に従って行う印刷制御手段と、
を有することを特徴とする記録装置。
【請求項６】
画像データと該画像データを印刷出力する際の記録条件を対応して記憶する記憶手段と、
受信した原稿データと前記記憶手段に記憶された画像データとの照合を行う画像照合手段と、
該画像照合手段による両画像データの少なくとも一部が一致すると判断する時、前記記憶手段から対応する記録条件の情報を読み出し、前記原稿データに対する印刷処理を前記記録条件に従って行う印刷制御手段と、
を有することを特徴とする記録装置。
【発明の詳細な説明】
【技術分野】
【０００１】
本発明は複写機や多機能印刷機に係り、特に記録条件の設定を行う記録条件設定装置に関する。
【背景技術】
【０００２】
今日、複写機能のみならずファクシミリ機能やプリント機能、メール機能等を有する多機能印刷機（複合機）が市販されている。また従来からの複写機の機能も充実し、各種記録条件の設定が可能になっている。例えば、原稿の用紙方向や用紙給紙口の指定、拡大／縮小率の設定、両面印刷時の上綴じ／横綴じ等の多くの記録条件の設定が可能になっている。
【０００３】
ここで、特許文献１は画像形成装置において記憶エリアの利用効率を高める為、複写モードにおいて再利用されない、又は利用頻度の少ない登録内容を削除する発明である。また、特許文献２はユーザが設定した内容と異なる処理が行われることを防止するため、プロセッサの処理内容の差異を判断し、処理内容に差異がある場合その旨を表示する発明である。
【特許文献１】特開平０９−１２７８３２号公報（段落番号７９〜８３、図２６）
【特許文献２】特開２０００−９８８１２号公報（段落番号４８〜５０、図９）
【発明の開示】
【発明が解決しようとする課題】
【０００４】
しかしながら、上記のように複写機や複合機を使用して原稿の複写を行う場合、用紙の選択や、拡大／縮小率の設定、両面印刷時の上綴じ／横綴じの設定等、多くの設定操作を行わなければならない。したがって、このような多岐に渡る記録条件の設定を行うことは煩わしい作業である。特に、原稿毎に記録条件が異なる場合には記録条件の設定操作に時間を要する。
【０００５】
そこで、本発明は記録条件と原稿画像を対応付けて保存し、同じ原稿を複写する際には保存した記録条件に基づいて複写を行う記録条件設定装置を提供するものである。
【課題を解決するための手段】
【０００６】
上記課題は本発明によれば、画像データと該画像データを複写する際の記録条件を対応して記憶する記憶手段と、スキャナによって読み取られた原稿データと前記記憶手段に記憶された画像データとの照合を行う画像照合手段と、該画像照合手段によって両画像データが一致すると判断する時、前記記憶手段から対応する記録条件の情報を読み出し、前記原稿データに対する複写処理の際の記録条件に設定する設定手段とを有する記録条件設定装置を提供することによって達成できる。
【０００７】
このように構成することにより、過去の画像データに対する複写処理の際の記録条件を記憶手段に記憶させておき、新たに原稿の読み出し処理を行う際、画像照合手段による照合結果が一致すれば前の記録条件を使用して複写処理を行うことができる。したがって、煩雑な記録条件の設定処理を省略でき、複写処理を効率よく行うことができる。
【０００８】
また、前記記録条件には、例えば画像データの描画条件と印刷条件とを含み、それぞれの条件に従って画像データの描画処理、及び記録紙への印刷処理を行う。
一方、前記原稿データには、例えば符号化パターンの情報が記録され、該符号化パターンには前記記録条件の情報が含まれている。このように構成することにより、原稿画像と記憶手段に記憶した画像データとの照合処理を行うことなく記録条件を設定でき、より効率よく複写処理を行うことができる。
【０００９】
また、上記記録条件に対応する符号化パターンを生成し、前記原稿データに前記符号化パターンが含まれていない場合、前記生成した符号化パターンを複写画像に記録する構成である。
【００１０】
このように構成することにより、原稿データに符号化パターンが記録されていない場合でも、複写画像を生成する際、符号化パターンを記録することができる。
【発明の効果】
【００１１】
本発明によれば、過去に行った複写処理と同じ原稿の複写処理を行う際、記録条件の設定が自動的に行われ、記録条件の設定操作を容易にすることができる。
また、原稿画像に記録条件を含む符号化パターンを記録することによって、記録条件を自動的に設定することができ、より有効な記録条件設定装置とすることができる。
【発明を実施するための最良の形態】
【００１２】
以下、本発明の実施の形態を図面を参照しながら説明する。
（実施形態１）
図１は、本実施形態の複写機のシステム構成図である。
【００１３】
同図において、本例の複写機１は複写制御部２、オペレーションパネル３、スキャナ４、プリンタエンジン５、及びオペレーションパネル制御部（以下、オペパネ制御部で示す）６、スキャナ制御部７、印刷制御部８等で構成されている。また、本例では複写処理が行われた複写画像を保存する複写画像ファイル保存部９、上記スキャナ４によって読み取られた画像データを格納するスキャン画像バッファ１０も配設されている。
【００１４】
また、本例の特徴である複写（記録）条件のデータベースは複写条件データ管理テーブル１１に記録され、このデータベースに基づいて複写条件データ記録部１２、描画条件データ記録部１３、印刷条件データ記録部１４に後述するデータが記録される。また、画像照合判断部１５は複写画像バッファ１６に記録された画像データと上記スキャン画像バッファ１０に格納された画像データの照合を行う。尚、画像データ描画部１８は画像メモリ１９に印刷画像を展開制御する描画制御部であり、画像メモリ１９に展開された画像データは印刷制御部８の制御に従ってプリンタエンジン５に出力され、用紙に印刷される。
【００１５】
以上のシステム構成において、図２は前述の複写条件データ管理テーブル１１の構成を示す。同図に示すように、複写条件データ管理テーブル１１は多数のレコードエリア（＃０〜＃ｎ−１）で構成され、各レコードエリアは「インデックス番号」、「原稿用紙サイズ」、「原稿用紙方向」、「印刷用紙サイズ」、「印刷用紙給紙口」、「拡大率」、及び「画像ファイル名」の各記録エリアで構成されている。
【００１６】
例えば、同図に示す例において、レコードエリア（＃０）の場合、「インデックス番号」が（１）であり、「原稿用紙サイズ」が（Ａ４）であり、「原稿用紙方向」が（縦置き）であり、「印刷用紙サイズ」が（Ａ４）であり、「印刷用紙給紙口」が（第１カセット）であり、「拡大率」が（１００％）であり、「画像ファイル名」が例えば（Ａ０００１）である。尚、レコードエリア（＃１）以降についても、同図に示す各種複写条件の設定が登録されている。
【００１７】
次に、図３は複写条件データ記録部１２の構成を示す図であり、上記複写条件データ管理テーブル１１に記録された複写条件のデータの中で、選択された「画像ファイル名」のデータが記録される。そして、この複写条件データ記録部１２に記録される複写条件は、「原稿用紙サイズ」、「原稿用紙方向」、「印刷用紙サイズ」、「印刷用紙給紙口」、及び「拡大率」の５つの複写条件である。上記データが複写条件データ記録部１２に記録されるタイミングは、前述の画像照合判断部１５による画像データの照合が、後述するように一致した時である。
【００１８】
一方、図４は描画条件データ記録部１３の構成を示す図であり、この描画条件データ記録部１３には前述の「拡大率」の複写条件が書き込まれる。描画条件データ記録部１３への「拡大率」のデータの書き込みも、前述の画像照合判断部１５による画像データの照合が一致したタイミングで行われる。また、図５は印刷条件データ記録部１４の構成を示す図であり、この印刷条件データ記録部１４には前述の「印刷用紙サイズ」及び「印刷用紙給紙口」の複写条件が書き込まれる。尚、この２つにデータの書き込みも、前述の画像照合判断部１５による画像データの照合が一致したタイミングで行われる。
【００１９】
次に、本例の処理動作について説明する。
図６は本例の処理動作について説明するフローチャートであり、複写制御部２が行う処理である。
【００２０】
先ず、複写条件データ管理テーブル１１の登録数（例えばｎ）、及び全レコードのインデックス（＃０〜＃ｎ−１）を０に初期設定する（ステップ（以下、Ｓで示す）１）。次に、オペパネ制御部６から複写開始の通知があるか判断する（Ｓ２）。この通知はオペレーションパネル３の複写開始ボタンを、例えばユーザが操作し、オペパネ制御部６を介して複写制御部２に複写開始の通知があった場合である。
【００２１】
図７に示すフローチャートはオペパネ制御部６の処理を説明するものであり、例えばユーザによって複写開始ボタンが操作され、対応する操作信号がオペパネ制御部６に入力すると（Ｓ２−１がＹＥＳ）、オペパネ制御部６は複写制御部２に複写開始の通知を行う（Ｓ２−２）。尚、オペパネ制御部６はオペレーションパネル３から複写開始指示がない時、例えば所定時間間隔でオペレーションパネル３から複写条件の設定指示があるか判断し（Ｓ２−３）、複写条件の設定がある時（Ｓ２−３がＹＥＳ）、設定された複写条件を複写条件データ記録部１２に書き込む（Ｓ２−４）。
【００２２】
複写制御部２は上記オペパネ制御部６から複写開始の通知があると、スキャナ制御部７に原稿スキャンの通知を行う（Ｓ３）。図８はスキャナ制御部７の処理を説明するフローチャートであり、スキャナ制御部７は上記通知によりスキャナ４を操作制御し、スキャナ４上に載置された原稿画像を読み取る（Ｓ３−１、Ｓ３−２）。また、スキャナ４によって読み取られた原稿データはスキャナ制御部７からスキャン画像バッファ１０に送られ、スキャン画像バッファ１０に格納される（Ｓ３−２）。
【００２３】
その後、スキャナ制御部７は複写制御部２に対して原稿スキャン完了の通知を行い（Ｓ３−３）、複写制御部２ではスキャナ制御部７からの原稿スキャン完了の通知を受信すると（Ｓ４がＹＥＳ）、画像照合判断部１５に対して画像照合の開始を通知する（Ｓ５）。
【００２４】
図９は画像照合判断部１５による画像照合処理を説明するフローチャートである。先ず、画像照合判断部１５は複写制御部２から画像照合開始の通知があったか判断する（Ｓ５−１）。ここで、複写制御部２からの画像照合の開始通知があった場合（Ｓ５−１がＹＥＳ）、複写条件データ管理テーブル１１の検索パラメータｍに登録数ｎを設定する（Ｓ５−２）。
【００２５】
次に、ｍ＝０であるか判断する（Ｓ５−３）。ここで、ｍ＝０であれば（Ｓ５−３がＹＥＳ）、複写条件データ管理テーブル１１に登録されたデータは無いものと判断し、複写制御部２に対して画像照合処理が完了し、一致画面が存在しない旨の通知を行う（Ｓ５−４）。一方、ｍ＝０でなければ（Ｓ５−３がＹＥＳ）、「インデックス番号」とｍが一致するレコードの「画像ファイル名」を複写画像データ保存部９から複写画像データバッファ１６に読み出す（Ｓ５−５）。
【００２６】
画像照合判断部１５では複写画像データバッファ１６に読み出した画像データとスキャン画像バッファ１０に格納された前述のスキャン画像を照合する（Ｓ５−６）。そして、一致していれば（Ｓ５−７がＹＥＳ）、複写制御部２に対して画像照合処理の完了を通知すると共に、一致する画像有りの通知、及びレコード番号を通知する（Ｓ５−８）。尚、不一致の場合には（Ｓ５−７がＮＯ）、ｍを−１し（Ｓ５−９）、上記処理を繰り返す（Ｓ５−３〜Ｓ５−９）。
【００２７】
複写制御部２では、画像照合判断部１５から画像照合完了の通知があると（Ｓ６がＹＥＳ）、同時に一致する画像が有るか判断する（Ｓ７）。この判断は、上記画像照合完了通知と共に送信される一致する画像の有無の通知に基づいて行い、一致する画像が存在する場合には、複写条件データ管理テーブル１１から同時に通知されるレコード番号の情報に基づいてデータを描画条件データ記録部１３、及び印刷条件データ記録部１４に書き込む（Ｓ８）。
【００２８】
例えば、前述の図２に示すレコード番号＃２の画像がスキャン画像バッファ１に格納された画像データと一致する場合、描画条件データ記録部１３には「拡大率」のデータ（１４１％）が書き込まれる。また、印刷条件データ記録部１４には「印刷用紙サイズ」として（Ａ３）のデータが書き込まれ、「印刷用紙給紙口」として（第３カセット）のデータが書き込まれる。
【００２９】
次に、複写制御部２は画像データ描画部１８に対して描画処理の開始を通知する（Ｓ９）。画像データ描画部１８はこの通知に従って、図１０のフローチャートに従った処理を行う。すなわち、先ず複写制御部２から上記通知が有ったか判断し（Ｓ９−１）、画像データ描画部１８は描画条件データ記録部１３に記録された「拡大率」のデータに基づいて画像メモリ１９に画像を描画する（Ｓ９−２）。
【００３０】
この時、描画条件データ記録部１３には前述の処理（Ｓ８）によって、既に複写条件データ管理テーブル１１に登録された「拡大率」の情報が記録されており、この「拡大率」の情報に従って画像メモリ１９に印刷データが描画される。例えば、図２に示すレコード（＃２）の場合、１４１％の「拡大率」で画像メモリ１９に印刷データが展開される。画像メモリ１９への展開処理が完了すると、画像データ描画部１８は複写制御部２に対して画像描画完了通知を行う（Ｓ９−３）。
【００３１】
一方、複写制御部２では画像データ描画部１８から出力される画像描画完了通知を受信すると（Ｓ１０がＹＥＳ）、印刷制御部８に対して印刷処理の開始通知を行う（Ｓ１１）。
【００３２】
印刷制御部８はこの通知に従って、図１１のフローチャートに従った処理を行う。すなわち、先ず複写制御部２から上記通知が有ったか判断し（Ｓ１１−１）、印刷制御部８は印刷条件データ記録部１４に記録された「印刷用紙サイズ」、及び「印刷用紙給紙口」の情報に基づいてプリンタエンジン５に印刷データを出力する（Ｓ１１−２）。
【００３３】
この場合も、印刷条件データ記録部１４には前述の処理（Ｓ８）によって、既に複写条件データ管理テーブル１１に登録された「印刷用紙サイズ」及び「印刷用紙給紙口」の情報が記録されており、この情報に従ってプリンタエンジン５に対して印刷データを出力する。例えば、図２に示すレコード（＃２）の場合、「印刷用紙サイズ」が（Ａ４）であり、「印刷用紙給紙口」が（第３カセット）である情報に基づいて印刷データがプリンタエンジン５に出力される。
【００３４】
プリンタエンジン５では対応する用紙に対して印刷データに従った印刷処理を行い、プリンタエンジン５での印刷処理が完了すると複写制御部２に対して印刷処理完了通知が出力される（Ｓ１１−３）。複写制御部２では印刷制御部８から出力される印刷処理完了通知を受信すると（Ｓ１２）、更に次の複写を行うべくオペレーションパネル３の操作を待つ。
【００３５】
以上のように、本例によれば過去に行った複写処理と同じ複写処理を行う場合、以前の複写条件を画像データを比較することによって自動的に読み出し、複写処理を行うことができる。したがって、ユーザは煩雑な複写条件の設定を行う必要がなく、操作性のよい複写機を提供することができる。
【００３６】
一方、前述の判断（Ｓ７）において、一致する画像が存在しない時（Ｓ７がＮＯ）、複写画像データ保存部９に新たなスキャン画像の保存領域があるか判断する（Ｓ１３）。そして、保存領域が有る場合（Ｓ１３がＹＥＳ）、複写条件データ管理テーブル１１の登録数ｎをインクリメントし（＋１し）、複写条件データ管理テーブル１１の「インデックス番号」（０）の何れかのレコードに複写条件データの情報を設定し、当該レコードの「インデックス番号」を（ｎ）とする（Ｓ１４、Ｓ１５）。
【００３７】
さらに、例えばユニークな画像ファイル名を定め、複写条件データ管理テーブル１１の「インデックス番号」（ｎ）の「画像ファイル名」に記録し、画像データを複写画像データ保存部９に保存する（Ｓ１６、Ｓ１７）。
【００３８】
また、前述の判断（Ｓ１３）において、複写画像データ保存部９に新たなスキャン画像の保存領域が存在しない場合（Ｓ１３がＮＯ）、複写条件データ管理テーブル１１の「インデックス番号」（１）に対応する画像ファイル名のファイルを複写画像データ保存部９から削除する（Ｓ１８）。そして、複写条件データ管理テーブル１１の全レコードに対して、「インデックス番号」（１）以上のものはデクリメント（−１）し、複写条件データ管理テーブル１１の登録数ｎをデクリメント（−１）する（Ｓ１９、Ｓ２０）。
【００３９】
尚、上記例では画像データの照合結果が一致する時自動的に対応する複写条件の設定を行ったが、設定される複写条件を一旦オペレーションパネル３に表示し、ユーザの確認ボタンの操作を待って当該複写条件の設定を行う構成としてもよい。また、この時、複写条件の一部を変更可能な構成としてもよい。
【００４０】
さらに、本例の複写条件の自動設定を、例えばユーザからの指令に従って移行する構成としてもよい。また、本例の記録条件設定装置は複写機に限らず、複写機能を有する複合機に使用する構成としてもよい。そして、複合機の場合、複写機能のほかに、上位装置から入力する原稿画像の印刷機能、ファクシミリ回線から受信される原稿画像の印刷機能も備え、従って、上記実施形態で説明した「複写」は「記録」の一形態を意味するものとなる。
（実施形態２）
次に、本発明の実施形態２について説明する。
【００４１】
図１２は本例の実施形態２を説明する複合機のシステム構成図である。
同図において、本例の複合機２１も前述と同様、オペレーションパネル３、スキャナ４、プリンタエンジン５、及びオペレーションパネル制御部（以下、オペパネ制御部で示す）６、スキャナ制御部７、印刷制御部８等で構成されている。しかし、本例では複写処理が行われた複写画像を保存する複写画像データ保存部、画像照合判断部１５、及び記録条件データ管理テーブルが存在しない。この構成に代わって、本例では符号制御部２２、及び符号パターンバッファ２３が配設されている。また、複合機２１は、複写機能のほかにファクシミリの送受信機能及びプリンタ機能も備えている。ＦＡＸモデム２５は、ＦＡＸ制御部２４によって制御され、ＦＡＸモデム２５を介して外部の電話回線と接続され、原稿データ等の送受信が行われる。ＮＥＴ制御部２６は、コンピュータ（ＰＣ）２７などの上位装置から送られてくる印刷データをプリントするために、ネットワーク回線を介してコンピュータ２７との情報授受の制御を行う。制御部２’はこれらに応じた制御を行う部分が異なるだけで、その他の基本的構成は、前述の実施形態における複写制御部２と同じである。
【００４２】
尚、その他の構成、例えばスキャン画像バッファ１０、記録条件データ記録部１２’、描画条件データ記録部１３、印刷条件データ記録部１４、画像データ描画部１８、画像メモリ１９の配設構成は前述の実施形態と同じである。
【００４３】
以下、本例の処理を具体的に説明する。
図１３は本例の処理を説明するフローチャートである。先ず、制御部２’は、オペパネ制御部６から複写開始の通知があるか判断する（ステップ（以下、ＳＴで示す）１）。この通知は前述と同様、オペレーションパネル３の複写開始ボタンを操作し、オペパネ制御部６を介して制御部２’に複写開始の通知があった場合である。
【００４４】
制御部２’はオペパネ制御部６から複写開始の通知があると（ＳＴ１がＹＥＳ）、スキャナ制御部７に原稿スキャンの通知を行う（ＳＴ２）。スキャナ４による原稿のスキャンは前述のように、図８に示すフローチャートに従って処理される。そして、スキャン処理が完了し、スキャナ制御部７から原稿スキャン完了通知が送信されると（ＳＴ３がＹＥＳ）、制御部２’は符号制御部２２に対して符号パターン認識処理の開始を通知する（ＳＴ４）。
【００４５】
図１４は符号制御部２２の処理を説明するフローチャートであり、制御部２’から符号パターン認識処理の開始通知を受信すると（ＳＴ４−１）、スキャン画像バッファ１０に格納された画像データの符号パターンを認識する（ＳＴ４−２）。ここで、符号パターンとしてはバーコードやＱＲコード等の符号化コードを使用し、人の目には見づらいイエロートナーや透明トナーを使用して記録紙に記録されており、このような符号化パターンが記録されているか判断する（ＳＴ４−３）。
【００４６】
ここで、符号パターンが存在する場合（ＳＴ４−３がＹＥＳ）、対応する符号パターンを印刷条件データに復号し、印刷条件データ部１４に当該印刷条件の情報を書き込む（ＳＴ４−４）。そして、符号制御部２２は符号パターンの認識処理の終了、符号パターン有りの情報を制御部２’に通知する（ＳＴ４−５）。
【００４７】
一方、符号パターンが記録されていない場合（ＳＴ４−３がＮＯ）、記録条件データ記録部１２’から印刷条件データを符号パターン化し、符号パターンバッファ２３に書き込む（ＳＴ４−６）。そして、符号制御部２２は符号パターンの認識処理の終了、符号パターン有りの情報を制御部２’に通知する（ＳＴ４−７）。
【００４８】
制御部２’は符号制御部２２から符号化パターンの認識完了通知があると（ＳＴ５がＹＥＳ）、スキャン画像に符号化パターンが存在したか否かの判断を行い（ＳＴ６）、符号化パターンが記録されていた場合には記録条件データを記録条件データ記録部１２’から描画データを描画条件データ記録部１３に書き込む（ＳＴ６がＹＥＳ、ＳＴ７）。一方、符号化パターンが記録されていない場合には、記録条件データ記録部１２’から描画データを描画条件データ記録部１３に書き込み、更に記録条件データ記録部１２’から記録（印刷）条件データを印刷条件データ記録部１４に書き込む（ＳＴ６がＮＯ、ＳＴ９）。その後、スキャン画像に符号化パターンが記録されていた場合には画像データ描画部１８に対して画像描画の開始通知を行う（ＳＴ８）。一方、スキャン画像に符号化パターンが記録されていなかった場合には画像データ描画部１８に対して画像合成描画の開始通知を行う（ＳＴ１０）。
【００４９】
画像データ描画部１８は図１５に示すフローチャートに従って処理を行い、先ず画像描画の開始通知を受信したか判断する（ＳＴ８−１）。ここで、画像描画の開始通知を受信した場合（ＳＴ８−１がＹＥＳ）、描画条件データ記録部１３に記憶された描画条件に従って描画処理を行う（ＳＴ８−２）。一方、画像描画の開始通知を受信しなかった場合（ＳＴ１０−１がＮＯ）、画像合成描画の開始通知を受信したか判断する（ＳＴ１０−１）。そして、画像合成描画の開始通知を受信した場合（ＳＴ１０−１がＹＥＳ）、この時描画条件データ記録部１３に記憶されている描画条件に従って、スキャン画像バッファ１０に格納されている原稿のスキャン画像と、符号パターンバッファ２３に格納されている符号パターンを合成して画像メモリ１９に展開する（ＳＴ１０−２）。
【００５０】
その後、符号制御部２２に対して画像描画処理の完了を通知する（ＳＴ１０−３）。制御部２’は上記画像描画処理の完了通知を受信すると（ＳＴ１１がＹＥＳ）、印刷制御部８に対して印刷処理の開始通知を行う（ＳＴ１２）。
【００５１】
印刷制御部８はこの通知に従って、前述の図１１のフローチャートで説明した処理を行い、プリンタエンジン５に印刷データを出力する。この時、印刷出力される画像は原稿に符号化パターンが付加されていない場合、記録条件データ記録部１２’に記録された記録条件に対応する符号化パターンを複写画像に記録するものである。
【００５２】
その後、印刷処理が完了すると制御部２’に対して印刷処理完了通知が出力される。制御部２’では印刷制御部８から出力される印刷処理完了通知を受信すると（ＳＴ１３がＹＥＳ）、更に次の複写を行うべくオペレーションパネル３の操作を待つ。
【００５３】
以上のように、本例によれば原稿に記録された符号化パターンに含まれる印刷条件の情報に従って自動的に複写処理を行うことができる。したがって、例えばユーザはオペレーションパネル３を操作して「印刷用紙サイズ」や「印刷用紙給紙口」の設定操作を行うことなく、印刷条件の指定を行うことができる。
【００５４】
また、原稿に符号化パターンが記録されていない場合でも、記録条件データ記録部１２’に記録された記録条件に対応する符号化パターンを複写画像に記録することができる。
尚、本例においても、画像データの照合結果が一致する時自動的に対応する記録条件の設定を行ったが、設定される記録条件を一旦オペレーションパネル３に表示し、ユーザの確認ボタンの操作を待って当該記録条件の設定を行う構成としてもよい。また、この時、記録条件の一部を変更可能な構成としてもよい。
【００５５】
さらに、本例の記録条件の自動設定を、例えばユーザからの指令に従って移行する構成としてもよい。
また、上記実施形態では、複写機能におけるスキャン画像データについてのみ説明したが、ファクシミリやプリンタで送信されてきた文書画像の中に、前記同様に予め登録されたバーコードやＱＲコードなどの符号化パターンが含まれていた場合に、その符号化パターンに含まれる記録（印刷）条件の情報に従って自動的に印刷処理を行うようにすることもできる。例えば、送信された原稿とは異なる大きさの用紙に、受信側の複合機で拡大縮小して印刷させたり、特定のカラートナーで印刷させたり、ステープル綴じを行わせたり等々、種々の印刷条件の指定を、ファクシミリの送信元あるいはネットワーク回線で繋がれた上位装置から送られてくる原稿情報によって行うことができる。
【図面の簡単な説明】
【００５６】
【図１】本実施形態の複写機のシステム構成図である。
【図２】複写条件データ管理テーブルの構成を示す図である。
【図３】複写条件データ記録部の構成を示す図である。
【図４】描画条件データ記録部の構成を示す図である。
【図５】印刷条件データ記録部の構成を示す図である。
【図６】実施形態１の処理動作について説明するフローチャートである。
【図７】オペパネ制御部の処理を説明するフローチャートである。
【図８】スキャナ制御部の処理を説明するフローチャートである。
【図９】画像照合判断部による画像照合処理を説明するフローチャートである。
【図１０】画像データ描画部の処理動作を説明するフローチャートである。
【図１１】印刷制御部の処理動作を説明するフローチャートである。
【図１２】実施形態２を説明する複写機のシステム構成図である。
【図１３】実施形態２の処理動作について説明するフローチャートである。
【図１４】符号制御部の処理動作を説明するフローチャートである。
【図１５】画像データ描画部の描画処理を説明するフローチャートである。
【符号の説明】
【００５７】
１・・・複写機
２・・・複写制御部
２’・・・制御部
３・・・オペレーションパネル
４・・・スキャナ
５・・・プリンタエンジン
６・・・オペパネ制御部
７・・・スキャナ制御部
８・・・印刷制御部
９・・・複写画像データ保存部
１０・・・スキャン画像バッファ
１１・・・複写条件データ管理テーブル
１２・・・複写条件データ記録部
１２’・・・記録条件データ記録部
１３・・・描画条件データ記録部
１４・・・印刷条件データ記録部
１５・・・画像照合判断部
１６・・・複写画像バッファ
１８・・・画像データ描画部
１９・・・画像メモリ
２１・・・複合機
２２・・・符号制御部
２３・・・符号パターンバッファ
【図１】
2006174183.tif 000003
【図２】
2006174183.tif 000004
【図３】
2006174183.tif 000005
【図４】
2006174183.tif 000006
【図５】
2006174183.tif 000007
【図６】
2006174183.tif 000008
【図７】
2006174183.tif 000009
【図８】
2006174183.tif 000010
【図９】
2006174183.tif 000011
【図１０】
2006174183.tif 000012
【図１１】
2006174183.tif 000013
【図１２】
2006174183.tif 000014
【図１３】
2006174183.tif 000015
【図１４】
2006174183.tif 000016
【図１５】
2006174183.tif 000017